(57)【要約】      （修正有）【課題】エレキギター演奏中全部の弦を解放した時、アンプから出るノイズを減少させるエレキギターのノイズキラー装置を提供する。【解決手段】エレキギター本体に差し込む、外側が金属で製作されたシールドジャック端子１と、シールドジャック端子１を挟む金属製のクリップ２と、内側に金属繊維を使用し、外側に面ファースナーを張り合わせたアースバンド電極４と、金属製のクリップ２とアースバンド電極４とを接続するカールコード３と、を備える。【選択図】図１
0003191462.tif 000002
【実用新案登録請求の範囲】
【請求項１】
エレキギターは、演奏中、弦に指が触れていると、アンプより発生するノイズは小さいが、すべての弦を開放した時、ノイズは大きく又，真空管方式ではさらに大きなノイズが発生する為、ギター本体のシールド線ジヤック端子外側が金属で製作されており、更にアンプと接続されている事に依り、端子外側に本考案の金属のクリップ及び、内側に金属繊維の幅１ｃｍ程度、長さ１０ｃｍ程度の電極を使用し、外側に、長さが調整出来るマジックテープを張り合わせたアースバンドの電極を、右手首に密着させ、アースバンドの電極とクリップを接続するカールコードは、微弱電流しか流れないので，芯線は極細の電線を使用し、弱電機器に使用するコード程度で良く、外径は２〜３ｍｍ位、長さは３０ｃｍ程度のカールコードで接続して、演奏中常時アンプと人体をアースさせ、ノイズを減少させる事を特徴とする、エレキギターのノイズキラー装置である。
【考案の詳細な説明】
【技術分野】
【０００１】  本考案は、エレキギター演奏中全部の弦を解放した時、アンプから出るノイズが大きい為、ノイズを減少させる装置を特徴とする。
【背景技術】
【０００２】  現在、エレキギターのアンプは、ギターを演奏中、弦に指を触れているとノイズが小さいが、全部の弦を開放すると大きなノイズが発生し、真空管方式では特に大きなノイズを発生する欠点がある。
【考案が解決しようとする課題】
【０００３】  従来技術では、エレキギター演奏中、全部の弦を開放時、ノイズが大きく、真空管方式では更に大きなノイズが発生する為、ノイズを減少させるものである。
【課題を解決するための手段】
【０００４】  本考案は、内側に自由に曲がる金属繊維の幅１ｃｍ程度、長さ１０ｃｍ程度の電極を、外側は、長さの調節出来る、マジックテープに張り合わせたアースバンドの電極を右手首に密着させ、エレキギター本体のシールドジヤック端子外側が、金属で出来ていて、アンプと接続されている為、ギター側のジヤック端子外側に、金属製のクリップで挟み、アースバンドの電極とクリップを、内部が電線のカールコードで接続する事に依り、アンプと人体がアースされる為、演奏中全部の弦が開放時でもノイズが減少し、問題点を解決している。
【考案の効果】
【０００５】  上述の様に、本考案は演奏中、常時アンプと人体がアースされている為、全部の弦を開放した場合に於いてもノイズは減少し、またカールコードを使用している為、演奏の邪魔にならない。
【考案を実施するための最良の形態】
【０００６】  アースバンドは、内側に自由に曲がる金属繊維を幅１ｃｍ程度、長さ１０ｃｍ程度の電極を、外側に長さが自由に調節出来るマジックテープに張り合わせ、エレキギター本体のシールドジヤック端子に、金属製クリップを挟み、接続はカールコードには微弱電流しか流れないので、芯線は極細で良く、外径２〜３ｍｍ程度、長さ３０ｃｍ程度で、アースバンド電極とクリップは、防錆及び導電率を向上させる為、金メッキ加工が好ましい。【０００７】  以下、添付図面１は本考案の斜視図を表わしている。
【図面の簡単な説明】
【図１】１．エレキギター側シールド線ジヤック  ２．エレキギター側に挟むクリップ  ３．電線のカールコード  ４．右手首に密着する電極  ５．マジックテープのアースバンド
【図１】
0003191462.tif 000003
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
エレキギター本体に差し込む、外側が金属で製作されたシールドジャック端子と、前記シールドジャック端子を挟む金属製のクリップと、内側に金属繊維を使用し、外側に面ファースナーを張り合わせたアースバンド電極と、前記金属製のクリップと前記アースバンド電極とを接続するカールコードと、を備えたことを特徴とするエレキギターのノイズキラー装置。
【手続補正２】
【補正対象書類名】明細書
【補正対象項目名】全文
【補正方法】変更
【補正の内容】
【考案の詳細な説明】
【技術分野】
【０００１】  本考案は、エレキギター演奏中全部の弦を解放した時、アンプから出るノイズが大きい為、ノイズを減少させる事を目的とし、エレキギター本体に差し込む、外側が金属で製作されたシールドジャック端子と、前記シールドジャック端子を挟む金属製のクリップと、内側に金属繊維を使用し、外側に面ファースナーを張り合わせたアースバンド電極と、前記金属製のクリップと前記アースバンド電極とを接続するカールコードと、を備えたことを特徴とするエレキギターのノイズキラー装置。
【背景技術】
【０００２】  現在、エレキギターのアンプは、ギターを演奏中、弦に指を触れているとノイズが小さいが、全部の弦を開放すると大きなノイズが発生し、真空管方式では特に大きなノイズを発生する欠点がある。
【考案が解決しようとする課題】
【０００３】  従来技術では、エレキギター演奏中、全部の弦を開放時、ノイズが大きく、真空管方式では更に大きなノイズが発生する為、ノイズを減少させるものである。
【課題を解決するための手段】
【０００４】  本考案は、内側に自由に曲がる金属繊維の幅１ｃｍ程度、長さ１０ｃｍ程度の電極を、外側は、長さの調節出来る、面ファースナーに張り合わせたアースバンドの電極を右手首に密着させ、エレキギター本体のシールドジヤック端子外側が、金属で出来ていて、アンプと接続されている為、ギター側のジヤック端子外側に、金属製のクリップで挟み、アースバンドの電極とクリップを、芯線が直径０，５ｍｍ程度の電線を用いたカールコードで接続する事に依り、アンプと人体がアースされる為、演奏中全部の弦が開放時でもノイズが減少し、問題点を解決している。
【考案の効果】
【０００５】  上述の様に、本考案は演奏中、常時アンプと人体がアースされている為、全部の弦を開放した場合に於いてもノイズは減少し、またカールコードを使用している為、演奏の邪魔にならない。
【考案を実施するための最良の形態】
【０００６】  アースバンドは、内側に自由に曲がる金属繊維を幅１ｃｍ程度、長さ１０ｃｍ程度の電極を、外側に長さが自由に調節出来る面ファースナーに張り合わせ、エレキギター本体のシールドジヤック端子に、金属製クリップを挟み、接続はカールコードには微弱電流しか流れないので、芯線の直径は０，５ｍｍ程度の電線を用い、外径２〜３ｍｍ程度、長さ３０ｃｍ程度で、アースバンド電極とクリップは、防錆及び導電率の向上を図る為、金メッキ加工が好ましい。
【図面の簡単な説明】
【０００７】
【図１】は本考案の斜視図を表す。
【符号の説明】
【０００８】１．エレキギター側シールド線ジヤック
２．エレキギター側に挟むクリップ
３．電線のカールコード
４．右手首に密着する電極
５．面ファースナーのアースバンド